(57)【要約】【課題】壁際などに溜まった塵埃を効率良く吸引することができると共に、床用吸込具を横方向に移動させた場合でも、壁面や家具などの傷付きを防止することができる床用吸込具を提供することを課題とする。【解決手段】吸込具本体ケース２と、吸込具本体ケース２下面から前面の少なくとも一部まで開口された吸込口３と、吸込具本体ケース２前面の吸込口３を閉塞する前壁を構成すると共に、吸込具本体ケース２前面が壁面Ｗ等に当接することにより上方に回動して吸込具本体ケース２前面の吸込口３を開放する上下方向に回動自在なカバー６と、カバー６に配設され、略水平方向に回動自在な補助ローラ１２とを備え、前記補助ローラ１２は、カバー６が下方位置においてカバー６の壁面Ｗ等への当接部分より後方に位置すると共に、カバー６が上方に回動するとカバー６先端より前方に突出する位置に配設されている。【選択図】        図７
2005131159.tif 000002
【特許請求の範囲】
【請求項１】
吸込具本体ケースと、吸込具本体ケース下面から前面の少なくとも一部まで開口された吸込口と、吸込具本体ケース前面の吸込口を閉塞する前壁を構成すると共に、吸込具本体ケース前面が壁面等に当接することにより上方に回動して吸込具本体ケース前面の吸込口を開放する上下方向に回動自在なカバーと、カバーに配設され、略水平方向に回動自在な補助ローラとを備え、前記補助ローラは、カバーが下方位置においてカバーの壁面等への当接部分より後方に位置すると共に、カバーが上方に回動するとカバー先端より前方に突出する位置に配設されていることを特徴とする床用吸込具。
【請求項２】
前記カバーの壁面等への当接部分には水平軸に回動自在なローラが設けられ、ローラーの外周面には、柔らかくて滑りやすい当接部材が装着されていることを特徴とする請求項１記載の床用吸込具。
【請求項３】
前記補助ローラは車軸に回動自在に構成され、カバーが上方に回動した状態では、車軸は略垂直方向に向くように構成されていることを特徴とする請求項１または請求項２記載の床用吸込具。
【請求項４】
前記補助ローラの先端部は略球状に形成されていることを特徴とする請求項１乃至請求項３の何れか１項に記載の床用吸込具。
【請求項５】
前記補助ローラは、左右一対配設されていることを特徴とする請求項１乃至請求項４の何れか１項に記載の床用吸込具。
【請求項６】
前記補助ローラは、柔らかくて滑りやすい材料で形成されていることを特徴とする請求項１乃至請求項５の何れか１項記載に記載の床用吸込具。
【請求項７】
前記補助ローラは、ポリエチレン樹脂で形成されていることを特徴とする請求項６記載の床用吸込具。
【請求項８】
前記補助ローラは、カバーの回動位置に関係なく、吸込具本体ケースの側面より側方に突出していることを特徴とする請求項１乃至請求項７の何れか１項に記載の床用吸込具。
【請求項９】
前記当接部材は、繊維質部材により構成されていることを特徴とする請求項２記載の床用吸込具。
【請求項１０】
前記当接部材は、起毛布により構成されていることを特徴とする請求項９記載の床用吸込具。
【請求項１１】
前記カバーは、カバーを下方へ回動させる方向に付勢する付勢手段を備えていることを特徴とする請求項１乃至請求項１０の何れか１項に記載の床用吸込具。
【発明の詳細な説明】
【技術分野】
【０００１】
本発明は、電気掃除機の床用吸込具に係わり、特に壁際などに溜まった塵埃を効率良く吸い込むことができる床用吸込具に関する。
【背景技術】
【０００２】
壁際などの掃除が可能な床用吸込具として、本願出願人は特願２００２−３１２３８３号において提案している。この床用吸込具は、吸込口が吸込具本体ケースの下面から前面の少なくとも一部まで開口され、吸込具本体ケースの前壁を構成するカバーが吸込具本体ケースに上下方向に回動自在に取り付けられ、カバーが下方回動位置で吸込口の前面部分を閉塞し、且つ壁面などに当接して回動する上方回動位置で吸込口の前面部分を開放するように構成されている。そして、カバーの壁面との当接部分に水平軸に対して回動自在なローラを配設すると共に、ローラの外周面に起毛布を装着して、壁面や家具などの傷付きを防止すると共に、カバーの上下方向の回動性を向上させている。（例えば、特許文献１参照）
【特許文献１】特願２００２−３１２３８３号
【発明の開示】
【発明が解決しようとする課題】
【０００３】
しかしながら、吸込具本体ケースの前面のローラを壁面に当接させた状態で、吸込具本体ケースを横方向に移動させた際、ローラは回転しないため、ローラの外周面を覆う起毛布に小石等の硬い物が挟み込まれていた場合には、小石により壁面を傷付ける虞があった。
【０００４】
本発明は、このような課題を解決するためになされたものであり、壁際などに溜まった塵埃を効率良く吸引することができると共に、床用吸込具を横方向に移動させた場合でも、壁面や家具などの傷付きを防止することができる床用吸込具を提供することを課題とする。
【課題を解決するための手段】
【０００５】
上記課題を解決するための第１の手段は、吸込具本体ケースと、吸込具本体ケース下面から前面の少なくとも一部まで開口された吸込口と、吸込具本体ケース前面の吸込口を閉塞する前壁を構成すると共に、吸込具本体ケース前面が壁面等に当接することにより上方に回動して吸込具本体ケース前面の吸込口を開放する上下方向に回動自在なカバーと、カバーに配設され、略水平方向に回動自在な補助ローラとを備え、前記補助ローラは、カバーが下方位置においてカバーの壁面等への当接部分より後方に位置すると共に、カバーが上方に回動するとカバー先端より前方に突出する位置に配設されていることを特徴とする。
【０００６】
上記課題を解決するための第１の手段において、前記カバーの壁面等への当接部分には水平軸に回動自在なローラが設けられ、ローラーの外周面には、柔らかくて滑りやすい当接部材が装着されることが好ましい。
【０００７】
また、前記補助ローラは車軸に回動自在に構成され、カバーが上方に回動した状態では、車軸は略垂直方向に向くように構成されることが好ましい。
【０００８】
また、前記補助ローラの先端部は略球状に形成されていてもよい。
【０００９】
また、前記補助ローラは、左右一対配設されてもよい。
【００１０】
また、前記補助ローラは、柔らかくて滑りやすい材料で形成されてもよい。
【００１１】
また、前記補助ローラは、ポリエチレン樹脂で形成されてもよい。
【００１２】
また、前記補助ローラは、カバーの回動位置に関係なく、吸込具本体ケースの側面より側方に突出してもよい。
【００１３】
また、前記当接部材は、繊維質部材により構成されてもよい。
【００１４】
また、前記当接部材は、起毛布により構成されてもよい。
【００１５】
また、前記カバーは、カバーを下方へ回動させる方向に付勢する付勢手段を備えてもよい。
【発明の効果】
【００１６】
本発明の請求項１の構成によれば、壁際などに溜まった塵埃を効率良く吸引することができると共に、床用吸込具を横方向に移動させた場合でも、壁面や家具等の傷付きを防止することができる等の効果を奏する。
【００１７】
本発明の請求項２の構成によれば、カバーの上下方向への回動性を向上させることができると共に、壁面や家具等の傷付きを防止することができる等の効果を奏する。  
【００１８】
本発明の請求項３の構成によれば、壁面等に当接する補助ローラは、床用吸込具を壁面に沿って横方向に移動させる際に円滑に回転させることができ、床用吸込具の横方向への移動性を向上させることができる等の効果を奏する。
【００１９】
本発明の請求項４の構成によれば、カバーが上方へ回動している際にも、床用吸込具の横方向への移動性を向上させることができる等の効果を奏する。
【００２０】
本発明の請求項５の構成によれば、床用吸込具の前面を左右のバランスよく壁面に当接させることができ、床用吸込具の横方向への移動性を向上させることができる等の効果を奏する。
【００２１】
本発明の請求項６の構成によれば、壁面や家具等の傷付きを防止することができる等の効果を奏する。
できる等の効果を奏する。
【００２２】
本発明の請求項７の構成によれば、簡単な構成により壁面や家具等の傷付きを防止することができる等の効果を奏する。
【００２３】
本発明の請求項８の構成によれば、床用吸込具の側面を壁面に沿わせて掃除している際にも、床用吸込具の側面が壁面に当接して移動することによる壁面や家具等の傷付きを防止することができる等の効果を奏する。
【００２４】
本発明の請求項９の構成によれば、カバーの上下方向への回動性を向上させることができると共に、壁面や家具等の傷付きを防止することができる等の効果を奏する。
【００２５】
本発明の請求項１０の構成によれば、壁面や家具等の傷付きを防止することができる等
の効果を奏する。
【００２６】
本発明の請求項１１の構成によれば、カバーの回動部に多少の塵埃が付着しても確実に吸込口の前側部分を閉じることができる等の効果を奏する。
【発明を実施するための最良の形態】
【００２７】
（第１実施形態）
本発明に係る床用吸込具の第１実施形態を図１乃至図１３に基づいて説明する。
【００２８】
第１実施形態の床用吸込具１は、上ケース２ａと下ケース２ｂからなって下面から前面にかけて広範囲に開口された吸込口３が形成された横長の吸込具本体ケース２と、吸込具本体ケース２内の長手方向両端に図示しない軸受部を介して回転自在に支持された回転ブラシ４と、吸込具本体ケース２の後面側に上下左右方向に回動自在に取付けられ、吸込口３に連通するベンド５と、吸込具本体ケース２の前壁を構成すると共に、吸込口３の前側部分３ｂを開閉するカバー６とから構成されている（図１参照）。そして、ベンド５が延長管７やホース８を介して掃除機本体９に接続されるようになっている（図２参照）。
【００２９】
カバー６は、断面形状が略くの字状をしており、その上部側が円弧状に形成されている。略くの字状の前側突出部に両端が軸受部１０によって回動自在且つ水平方向に支持されたローラ１１が取り付けられている。ローラ１１の両側のカバー６には、斜め前方に傾斜した図示しない軸を回転中心として回転自在な一対の補助ローラ１２が取り付けられている（図３、図６参照）。
【００３０】
カバー６は、両端に形成された図示しないアーム部が水平方向に指示されることにより、上下方向に回動自在に支持されている。ローラ１１は、回動軸１３を有するローラ芯体１４外周面が、柔らかくて滑りやすい当接部材として、繊維質部材である起毛布１５によって覆われて形成されている。補助ローラ１２は、その先端部は略球状に形成され、比較的柔らかくて滑りやすい樹脂であるポリエチレン樹脂によって形成されている（図４及び図５参照）。
【００３１】
カバー６の最前部にあるローラ１１が壁面Ｗ等に押し当てられた時には、ローラ１１が反時計方向に回転しながらカバー６が上方に回動する。カバー６が上方に回動すると補助ローラ１２の図示しない軸は床面に対して略垂直方向を向くと共に、補助ローラ１２はローラ１１より前方に位置して、壁面Ｗ等に当接して壁面Ｗ等上を回動自在となる。カバー６が下方位置においては、補助ローラ１２の図示しない軸は斜め前方に傾斜すると共に、補助ローラ１２はローラ１１より後方に位置して、ローラ１１が壁面Ｗ等に当接可能となる。従って、カバー６に設けられたローラ１１が吸込具本体ケース２の前側のバンパーとして機能している。カバー６が下方位置と上方に回動した位置との間の中間位置においては、補助ローラ１２が壁面Ｗ等に当接可能であるが図示しない回動中心軸が斜めの状態になっている。この状態では補助ローラ１２の先端部が壁面Ｗ等に当接するするが、補助ローラ１２の先端部は略球状に形成されているため、補助ローラ１２の回動に支障が生じることはない（図５乃至図８参照）。
【００３２】
カバー６は、ローラ１１が壁面Ｗ等に当接してカバー６が上に回動する時、吸込具本体ケース２に形成されたカバー収納部１６内にカバー６が収納される方向に回動するように構成されている（図６、図８参照）。また、カバー６には、カバー６を下方へ回動する方向へ付勢する図示しない捻りバネ等の付勢手段が装着されている。
【００３３】
吸込具本体ケース２の吸込口３に回動自在に支持された回転ブラシ４は、回転ブラシ芯体１７の外周面にブラシ体１８が等分間隔で長手方向に複数本装着されている。ブラシ体
１８は、ブラシ体１８の根元部１８ａを回転ブラシ芯体１７の外周面に形成した溝１９に嵌め込むことで装着できるようになっている（図６、図８参照）。また、回転ブラシ４は、吸込具本体ケース２に配設された図示しない電動機により、その駆動力が図示しない伝動ベルトを介して伝達されて回転駆動するようになっている。この回転ブラシ４が回転することで被掃除面のごみが掻き取られ、吸込口３から効果的に吸込まれることにより効率よく掃除できる。
【００３４】
このように構成された床用吸込具１は、通常の床面（フローリング床や畳や絨毯等）の掃除の場合には、カバー６は付勢手段により下方回動位置に位置しているので、吸込口３の前側部分３はカバー６により閉じられ、吸込口３の下側部分３ａだけが開口している。従って、風量の損失が生じないので、吸込口３の下側部分３ａでは所望の風量が得られ、且つ回転ブラシ４の掻き取り効果も加わるため、床面の掃除を効率良く行うことができる（図５及び図６参照）。
【００３５】
一方、壁際を掃除する場合には、壁面Ｗに吸込具本体ケース２の前面を押し当てる。それにより、まず、カバー６に取り付けられたローラ１１が壁面Ｗに当接して反時計方向に回転しながらカバー６が上方に持ち上げられ、吸込具本体ケース２のカバー収納部１６に収納される方向に回動し、吸込口３の前側部分３が開放される。この時カバー６に配設された一対の補助ローラ１２が壁面Ｗに当接して、カバー６と壁面Ｗとの間には隙間が生じる（図７乃至図９参照）。
【００３６】
この状態では、吸込口３を壁際に非常に近接させることができ、壁際の塵埃に対して充分な清掃能力を得ることができる。しかも、一対の補助ローラ１２により形成された隙間を介して前側部分３ｂからも壁際の塵埃を吸い込むことができるため、壁際の塵埃を効率良く吸引することができる。
【００３７】
そして、壁面Ｗにはカバー６自身ではなく外周面が起毛布１５で覆われたローラ１１が当接するため、壁面Ｗや家具等の傷付きを確実に防止することができる。また、カバー６が上方に回動した状態では補助ローラ１２が壁面Ｗに当接するため、吸込具本体ケース２前面が壁面Ｗに当接した状態で横方向に掃除する場合の左右方向の動きを向上させることができると共に、ローラ１１の起毛布１５に挟み込まれた小石等による壁面Ｗの傷付きを防止することができる。
【００３８】
ローラ１１は吸込具本体ケース２の前面側の先端部分に設けているため、吸込具本体ケース２の前面側が障害物に当接した場合の衝撃吸収というバンパーの役割も果たしている。さらに、カバー６は吸込具本体ケース２の内側に形成されたカバー収納部１６内に収納される方向に回動するため、吸込具本体ケース２の外側に回動する場合に比べて、吸込具本体ケース２の高さを低くでき、ベッドの下等の高さの低いところを掃除する場合でも、カバー６が障害物に当接してカバー６が開かないといった不具合も生ずることはなく、また、外力に対しても強い構造となる。
【００３９】
上述したように壁際の掃除をして通常の床面の掃除に戻る時には、吸込具本体ケース２を壁面Ｗから離すだけで、カバー６は付勢手段の付勢力により下方に回動して吸込口３の前側部分３ｂを閉じるので、特別な操作をすることなく通常の床面の掃除を行うことができる。カバー６は、自重だけでも下方に回動して吸込口３の前側部分３ｂを閉じることはできるが、付勢手段を設けることによりカバー６の回動部分に多少の塵埃が付着しても確実に吸込口３の前側部分３ｂを閉じることができる（図６参照）。
【００４０】
床用吸込具１から吸引された塵埃を含んだ空気は、延長管７、ホース８を介して掃除機本体９内に送られる。掃除機本体９内に送られた塵埃は、図示しない集塵部により捕捉さ
れ、塵埃を除去された空気は掃除機本体９外に排気される。この掃除機本体９外に排気される空気により床面の塵埃を巻き上げる虞があるため、排気の風速を低下させる必要がある。第１実施形態では、掃除機本体９後面上方の第１排気口２０と、掃除機本体９移動用の車輪２１に形成された第２排気口２２とから分散させて排気することにより排気の風速を低下させて床面の塵埃巻き上げを防止している（図１０参照）。
【００４１】
第２排気口２２からは、図１１において矢印で示すように電動送風機２３により吸引され、図示しない集塵部により塵埃が捕捉された空気の一部が電動送風機２３の下流に配設された第１フィルター２４及び第２排気口２２に配設されたスポンジ等の多孔質な部材で構成された第２フィルター２５を介して掃除機本体９外に排気される。
【００４２】
車輪２１に配設された第２排気口２２は、比較的床面に近接しているため特に排気の風速を低下させる必要がある。そこで、第１実施形態では、第２フィルター２５の下流側の端面にディンプル２６を形成することにより第２フィルター２５の下流側の端面の断面積を多くして排気の風速をさらに低下させている。この結果、第２排気口２２から排気される空気により床面の塵埃が巻き上げられるのを防止している。
【００４３】
尚、第２排気口２２から排気される空気の風速を低下させる方法としては、図１２及び図１３に示すように、第２フィルター２５ａの下流側の端面をプリーツ状に形成してもよい。このようにしても、ディンプル２６を形成した場合と同様に第２フィルター２５ａの下流側の端面の断面積を多くすることができるため、排気の風速をさらに低下させて第２排気口２２から排気される空気により床面の塵埃が巻き上げられるのを防止できる。
【００４４】
（第２実施形態）
図１４及び図１５は第２実施形態を示している。尚、第１実施形態と同一部品については同一符号を付して説明を省略する。
【００４５】
第２実施形態の床用吸込具１ａは、カバー６の回動位置に関係なく補助ローラ１２が吸込具本体ケース２の側面より突出する位置に配設されている。
【００４６】
このように構成された第２実施形態の床用吸込具１ａは、吸込具本体ケース２の側面が壁面Ｗに沿った方向に向けて掃除する際、補助ローラ１２が壁面Ｗに当接して吸込具本体ケース２の側面は壁面Ｗにしないため、、吸込具本体ケース２の側面が壁面Ｗに当接することによる壁面Ｗの傷付きを防止している。
【００４７】
吸込具本体ケース２の前面が壁面Ｗに当接した場合は、第１実施形態と同様にカバー６が上方に回動すると共に、補助ローラ１２が壁面Ｗに当接するようになっている。
【００４８】
（第３実施形態）
図１６乃至図１９は第３実施形態を示している。尚、第１実施形態及び第２実施形態と同一部品については同一符号を付して説明を省略する。
【００４９】
第３実施形態の床用吸込具１ｂは、床用吸込具１ｂ内に吸込まれる空気により回転ブラシ４を直接回転させるための開口孔２７がカバー６に形成されている。下ケース２ｂの下面には、開口穴２８が形成されている。開口穴２８と回転ブラシ４とをバイパス流路２９を介して連通させる連通穴３０が下ケース２ｂの垂直壁３１に形成されている。
【００５０】
開口穴２８から床用吸込具１ｂ内に吸引される空気により回転ブラシ４が図１８において反時計方向に回転する位置に開口孔２７は形成されている。また、開口穴２８からバイパス流路２９を介して連通穴３０から回転ブラシ４に向けて吹出される空気により回転ブ
ラシ４が図１８において時計方向に回転するような位置に連通穴３０は形成されている。開口孔２７は連通穴３０より大きく形成されており、回転ブラシ４は図１８において常に反時計方向に回転するようになっている。
【００５１】
絨毯等の毛足の長いところを掃除する際には、図１８に示すように開口穴２８が絨毯等により閉塞されるため、開口孔２７から床用吸込具１ｂ内に吸引される空気により回転ブラシ４は図１８において反時計方向に勢いよく回転する。この結果、絨毯のごみの掻き上げ効果が向上するため、絨毯における集塵効率を向上させることができる。
【００５２】
フローリングを掃除する際には、図１９に示すように開口穴２８とフローリングとの間に隙間ができるため、開口孔２７から床用吸込具１ｂ内に空気が吸引されると共に、開口穴２８を介して連通穴３０から床用吸込具１ｂ内に空気が吸引される。開口孔２７は連通穴３０より大きく形成されているため、回転ブラシ４は図１９において反時計方向に低速で回転する。この結果、回転ブラシ４の床面への摩擦負荷が減少するため、回転ブラシ４の耐久性を向上させることができると共に、回転ブラシ４が床面に接触することによる騒音を低減させることができる。
【００５３】
（第４実施形態）
図２０及び図２１は第４実施形態を示している。尚、第１実施形態乃至第３実施形態と同一部品については同一符号を付して説明を省略する。
【００５４】
第４実施形態の床用吸込具１ｃは、床用吸込具１ｃ内に吸込まれる空気により回転ブラシ４を直接回転させるための吸気口３２が上ケース２ａに形成されている。下ケース２ｂには、吸気口３２から床用吸込具１ｃ内に吸込まれた空気の向きを変更する風向変更部３３が回動自在に配設されている。通常の風向変更部３３は図２０において回転ブラシ４を時計方向に回転させる方向に向くように図示しない付勢手段により付勢されている。風向変更部３３には、カバー収納部１６内に突出する突出部３４が形成されている。カバー６のカバー収納部１６側には、突出部３４に当接可能な突部３５が形成されている。
【００５５】
このように構成された第４実施形態の床用吸込具１ｃで床面を掃除する際、風向変更部３３は付勢手段によって図２０において回転ブラシ４を時計方向に回転させる方向に向いているため、回転ブラシ４は図２０において時計方向に回転する。この結果、床用吸込具１ｃを前方に押した時に床面の塵埃を掻き上げる方向に回転ブラシ４が回転するため、集塵効率を向上させることができる。
【００５６】
カバー６の最前部にあるローラ１１が壁面Ｗ等に押し当てられた時には、ローラ１１が反時計方向に回転しながらカバー６が上方に回動する。カバー６が上方に回動するに伴いカバー６の突部３５が風向変更部３３の突出部３４に当接し、突部３５が風向変更部３３の図示しない付勢手段に抗して風向変更部３３を回動させることにより、図２１に示すように風向変更部３３は回転ブラシ４を反時計方向に回転させる方向に向けて回動する。この結果、壁際の塵埃を手前に掻き集める方向に回転ブラシ４が回転するため、壁際の塵埃を効率良く集塵することができる。
【００５７】
（第５実施形態）
図２２及び図２３は第５実施形態を示している。尚、第１実施形態乃至第４実施形態と同一部品については同一符号を付して説明を省略する。
【００５８】
第５実施形態の床用吸込具１ｄの下ケース２ｂには、図２２において回転ブラシ４を反時計方向に回転させる方向に風を送るための第１吹出孔３６が形成されていると共に、図２２において回転ブラシ４を時計方向に回転させる方向に風を送るための第２吹出孔３７
が形成されている。また、床用吸込具１ｄの上ケース２ａには、第１流路３８を介して第１吹出孔３６に連通する第１吸気孔３９が形成されていると共に、第２流路４０を介して第２吹出孔３７に連通する第２吸気孔４１が形成されている。
【００５９】
第１吸気孔３９と第１吹出孔３６とを連通する第１流路３８及び第２吸気孔４１と第２吹出孔３７とを連通する第２流路４０は、上下自在に回動するカバー６ａにより閉塞されている。カバー６ａには１箇所連通孔４２が形成されており、カバー６ａが下方位置において連通孔４２が第２流路４０に臨んだ際には、第２吸気孔４１と第２吹出孔３７とが連通し（図２２参照）、カバー６ａが上方に回動した位置において連通孔４２が第１流路３８に臨んだ際には、第１吸気孔３９と第１吹出孔３６とが連通するようになっている（図２３参照）。
【００６０】
このように構成された第５実施形態の床用吸込具１ｄで床面を掃除する際は、図２２に示すようにカバー６ａが下方位置にあるため、第１流路３８は閉塞されると共に、連通孔４２を介して第２吸気孔４１と第２吹出孔３７とが連通する。この結果、回転ブラシ４は図２２において時計方向に回転するため、床用吸込具１ｄを前方に押した時に床面の塵埃を掻き上げる方向に回転ブラシ４が回転し集塵効率が向上する。
【００６１】
カバー６の最前部にあるローラ１１が壁面Ｗ等に押し当てられた時には、ローラ１１が反時計方向に回転しながらカバー６が上方に回動する。そして、カバー６が上方に回動するに伴い第２流路４０は閉塞されると共に、連通孔４２を介して第１吸気孔３９と第１吹出孔３６とが連通する。この結果、回転ブラシ４は図２３において反時計方向に回転するため、壁際の塵埃を手前に掻き集める方向に回転ブラシ４が回転し壁際の塵埃を効率良く集塵することができる。
【００６２】
（第６実施形態）
図２４及び図２５は第６実施形態を示している。尚、第１実施形態乃至第５実施形態と同一部品については同一符号を付して説明を省略する。
【００６３】
第６実施形態の床用吸込具１ｅの下ケース２ｂには、図２４において回転ブラシ４を反時計方向に回転させる方向に風を送るための第１吹出孔３６が形成されていると共に、図２４において回転ブラシ４を時計方向に回転させる方向に風を送るための第２吹出孔３７が形成されている。また、床用吸込具１ｅの上ケース２ａには、第１流路３８を介して第１吹出孔３６に連通する第１吸気孔３９が形成されていると共に、第２流路４０を介して第２吹出孔３７に連通する第２吸気孔４１が形成されている。
【００６４】
第１吸気孔３９と第１吹出孔３６とを連通する第１流路３８及び第２吸気孔４１と第２吹出孔３７とを連通する第２流路４０は、上下自在に回動するカバー６のカバー収納部１６側に装着されているフィルム体４３より閉塞されている。フィルム体４３には１箇所連通部４４が形成されており、カバー６が下方位置において連通部４４が第２流路４０に臨んだ際には、第２吸気孔４１と第２吹出孔３７とが連通し（図２４参照）、カバー６が上方に回動した位置において連通部４４が第１流路３８に臨んだ際には、第１吸気孔３９と第１吹出孔３６とが連通するようになっている（図２５参照）。
【００６５】
このように構成された第６実施形態の床用吸込具１ｅで床面を掃除する際は、図２５に示すようにカバー６が下方位置にあるため、第１流路３８は閉塞されると共に、連通部４４を介して第２吸気孔４１と第２吹出孔３７とが連通する。この結果、回転ブラシ４は図２５において時計方向に回転するため、床用吸込具１ｅを前方に押した時に床面の塵埃を掻き上げる方向に回転ブラシ４が回転し集塵効率が向上する。
【００６６】
カバー６の最前部にあるローラ１１が壁面Ｗ等に押し当てられた時には、ローラ１１が反時計方向に回転しながらカバー６が上方に回動する。そして、カバー６が上方に回動するに伴い第２流路４０は閉塞されると共に、連通部４４を介して第１吸気孔３９と第１吹出孔３６とが連通する。この結果、回転ブラシ４は図２５において反時計方向に回転するため、壁際の塵埃を手前に掻き集める方向に回転ブラシ４が回転し壁際の塵埃を効率良く集塵することができる。
【００６７】
（第７実施形態）
図２６及び図２７は第７実施形態を示している。尚、第１実施形態乃至第６実施形態と同一部品については同一符号を付して説明を省略する。
【００６８】
第７実施形態の床用吸込具１ｆの下ケース２ｂには、図２６において回転ブラシ４を反時計方向に回転させる方向に風を送るための吹出孔４５が形成されている。また、床用吸込具１ｆの上ケース２ａには、流路４６を介して吹出孔４５に連通する吸気孔４７が形成されている。
【００６９】
吸気孔４７と吹出孔４５とを連通する流路４６は、上下自在に回動するカバー６により開閉自在に閉塞されるようになっている。カバー６が下方位置において、流路４６を介して吸気孔４７と吹出孔４５とが連通し、カバー６が上方に回動した位置において流路４６は閉塞され、カバー６の前方側から図２７において回転ブラシ４を反時計方向に回転させる方向に風を送るようになっている。
【００７０】
このように構成された第７実施形態の床用吸込具１ｆで床面を掃除する際は、図２６に示すようにカバー６が下方位置にあるため、流路４６を介して吸気孔４７と吹出孔４５とが連通する。この結果、回転ブラシ４は図２６において時計方向に回転するため、床用吸込具１ｆを前方に押した時に床面の塵埃を掻き上げる方向に回転ブラシ４が回転し集塵効率が向上する。
【００７１】
カバー６の最前部にあるローラ１１が壁面Ｗ等に押し当てられた時には、ローラ１１が反時計方向に回転しながらカバー６が上方に回動する。そして、カバー６が上方に回動するに伴い流路４６は閉塞されると共に、カバー６の前方側から図２７において回転ブラシ４を反時計方向に回転させる方向に風が送られる。この結果、回転ブラシ４は図２７において反時計方向に回転するため、壁際の塵埃を手前に掻き集める方向に回転ブラシ４が回転し壁際の塵埃を効率良く集塵することができる。
【図面の簡単な説明】
【００７２】
【図１】本発明の第１実施形態の床用吸込具の斜視図である。
【図２】同床用吸込具を使用した電気掃除機全体の側面図である。
【図３】同床用吸込具の上面図である。
【図４】同床用吸込具の前面図である。
【図５】同床用吸込具の側面図である。
【図６】同床用吸込具の側断面図である。
【図７】同床用吸込具の前面が壁面に当接した状態の側面図である。
【図８】同床用吸込具の前面が壁面に当接した状態の側断面図である。
【図９】同床用吸込具の前面が壁面に当接した状態の上面図である。
【図１０】同床用吸込具に連通する掃除機本体の側面図である。
【図１１】同床用吸込具に連通する掃除機本体の排気流路を示す断面図である。
【図１２】同床用吸込具に連通する他の形態の掃除機本体の側面図である。
【図１３】同床用吸込具に連通する他の形態の掃除機本体の排気流路を示す断面図である。
【図１４】本発明の第２実施形態の床用吸込具の側面が壁面に沿って移動する状態を示す上面図である。
【図１５】同床用吸込具の前面が壁面に当接した状態の上面図である。
【図１６】本発明の第３実施形態の床用吸込具の上面図である。
【図１７】同床用吸込具の裏面図である。
【図１８】同床用吸込具の側断面図で、絨毯等を掃除している状態を示す。
【図１９】同床用吸込具の側断面図で、フローリングを掃除している状態を示す。
【図２０】本発明の第４実施形態の床用吸込具の側断面図で、回転ブラシが時計方向に回転する状態を示す。
【図２１】同床用吸込具の前面が壁面に当接した状態の側断面図で、回転ブラシが反時計方向に回転する状態を示す。
【図２２】本発明の第５実施形態の床用吸込具の側断面図で、回転ブラシが時計方向に回転する状態を示す。
【図２３】同床用吸込具の前面が壁面に当接した状態の側断面図で、回転ブラシが反時計方向に回転する状態を示す。
【図２４】本発明の第６実施形態の床用吸込具の側断面図で、回転ブラシが時計方向に回転する状態を示す。
【図２５】同床用吸込具の前面が壁面に当接した状態の側断面図で、回転ブラシが反時計方向に回転する状態を示す。
【図２６】本発明の第７実施形態の床用吸込具の側断面図で、回転ブラシが時計方向に回転する状態を示す。
【図２７】同床用吸込具の前面が壁面に当接した状態の側断面図で、回転ブラシが反時計方向に回転する状態を示す。
【符号の説明】
【００７３】
１    床用吸込具
２    吸込具本体ケース
３    吸込口
６    カバー
１１  ローラ
１２  補助ローラ
【図１】
2005131159.tif 000003
【図２】
2005131159.tif 000004
【図３】
2005131159.tif 000005
【図４】
2005131159.tif 000006
【図５】
2005131159.tif 000007
【図６】
2005131159.tif 000008
【図７】
2005131159.tif 000009
【図８】
2005131159.tif 000010
【図９】
2005131159.tif 000011
【図１０】
2005131159.tif 000012
【図１１】
2005131159.tif 000013
【図１２】
2005131159.tif 000014
【図１３】
2005131159.tif 000015
【図１４】
2005131159.tif 000016
【図１５】
2005131159.tif 000017
【図１６】
2005131159.tif 000018
【図１７】
2005131159.tif 000019
【図１８】
2005131159.tif 000020
【図１９】
2005131159.tif 000021
【図２０】
2005131159.tif 000022
【図２１】
2005131159.tif 000023
【図２２】
2005131159.tif 000024
【図２３】
2005131159.tif 000025
【図２４】
2005131159.tif 000026
【図２５】
2005131159.tif 000027
【図２６】
2005131159.tif 000028
【図２７】
2005131159.tif 000029